(57)【要約】      （修正有）【課題】利用者が無理なく鉛筆や箸などの持ち方や操作が習得できる持ち方矯正補助具を提供する。【解決手段】持ち方矯正補助具の本体１の外形は、鉛筆、ペンなどの筆記用具を通す輪３、４がついた保持部２を有し、ほぼ球体で、クッション性を有し、表面に複数個の突起を有しており、表面を吸湿性材料や発泡高分子材料で構成した。【選択図】図１
0003209006.tif 000002
【実用新案登録請求の範囲】
【請求項１】
鉛筆，ペンなどの筆記具や箸などの持ち方矯正補助具において，前記持ち方矯正補助具の本体は、その外形は、鉛筆、ペンなどの筆記用具を通す輪がついたほぼ球体でクッション性を有し、表面に複数個の突起を有することを特徴とする持ち方矯正補助具。
【請求項２】
表面を吸湿性材料や発泡高分子材料で構成したことを特徴とする請求項１に記載の持ち方矯正補助具。
【請求項３】
持ち方矯正補助具の本体に、１段階または２段階になった輪を、１カ所または１．５cm前後離して２カ所取り付けたことを特徴とする請求項１または請求項２に記載のいずれかの持ち方矯正補助具。
【考案の詳細な説明】
【技術分野】
【０００１】
本考案は、 鉛筆，ペンなどの筆記具や箸などの持ち方の習得を助ける補助具に関するものである。
【背景技術】
【０００２】
１）従来の補助具の形状は、筆記具本体に装着して、指先や指を整えて持つものが一般的であった。
２）また、掌に握り込む形の本体に筆記具やスプーン、箸等を装着するためのヒモが付けられた補助具も公表されている。
【０００３】
しかし、１）の場合、補助具に指先を合わせることに意識がとらわれ、楽で正しい持ち方を習得するには難点があった。
一方、２）の場合、補助具を掌や手全体で握るので、操作が自在となる利点があるが、本体が木材・陶器・プラスチックという硬い材料とあるので感触、使用感、疲労、発汗への対応等の観点から、改良の余地があると思われる。                                以前に同様の補助具を紙粘土で制作し、子どもたちに使用させた。持ち方の改善という点では効果的であったが、乾燥して硬くなると違和感が生じる上、汗を吸収しないとの理由で長時間の使用には限界があった。
【０００４】
【特許文献１】特開２００４−６２１９４
【特許文献２】特開２００６ー２６３４６２
【特許文献３】特開２００７ー５０６８３
【特許文献４】実登３１４５４３７
【特許文献５】実登３１８１１６２
【考案の開示】
【考案が解決しようとする課題】
【０００５】
この考案は、利用者が、無理なく鉛筆，ペンなどの筆記具や箸などの持ち方や操作が習得できることを課題とする。
【課題を解決するための手段】
【０００６】
上記の課題を解決するために、特に幼い子どもは、手や指の機能がまだまだ未分化であり、細長くて円柱形の不安定な鉛筆、ペン、箸を正しい位置にしっかり保持し、掌と親指、人差し指、中指の力を適度に加減して、文字を書き続けることは困難である。そこで、不安定な鉛筆、ペン、箸を正しい位置に保持できることと力を無理なく適度に加減できることを重要課題として、本補助具を製作した。本補助具は、掌に軽く握り込めることの大きさのほぼ球形のクッションの上部に柔軟性のあるゴムなどの輪が取り付けてあり、そこに、筆記用具を差し込むと筆記用具は固定されるとともに、ほぼ球形のクッションの外面のカーブに添うようになり、文字を書く上でノートの面に対して快適な傾きを確保し、手の中に収まるようになっている。これにより、クッションを軽く握り、親指、人差し指、中指を筆記用具に添えるだけで正しい持ち方に、無理なく誘導できる。
また、筆記用具が固定されるので力を入れすぎることもなくなる。力を入れすぎる癖のある人も低反発性のクッションの効果によって疲れずに長く書く続けることが可能になる。
【考案の効果】
【０００７】
この考案によれば、柔軟素材を生かした形状と機能により、利用者の手の大きさや力加減や癖などに応じて、無理なく正しい持ち方を習得できる効果が大きい。
【実施例】
【０００８】
この考案の実施形態を図１から図８に示す。
【実施例１】
【０００９】
図１、図２の持ち方矯正補助具の本体１は高分子発泡材でほぼ球形に作られており、手のひらでふんわりと握り込める大きさの，鉛筆などの筆記用具の持ち方矯正器具である。保持部２は高分子発泡材などの伸縮性のものでできており、2つの輪３，４を有している。鉛筆をどちらか一方の輪に差し込んで固定させて使うが、小さい子どもの場合は本体１に近い方の輪３を使用した方が、鉛筆がよりしっかり固定されて正しい誘導ができる。手の大きい人やすでに書き慣れている人にとっては、本体１から遠い方の輪４を使った方が鉛筆周辺のあそびが大きいので使いやすいとは思うが個人の好みでよい。
本体１を取り付けた鉛筆を持つときは、まず始めに本体１の部分だけを握り、鉛筆が固定されていることを確かめる。次に親指５と人差し指６を鉛筆の上で出会わせる。これで無理なく正しい持ち方の形ができる。
本体１に取り付けた保持部２は、好みにより輪４を無くし、１つの輪としてもよい。
図３の本体７は高分子発泡材でほぼ球形に作られており、手のひらでふんわりと握り込める大きさの、鉛筆や箸などの持ち方を矯正する道具である。輪８、９は高分子発泡材などの伸縮性のものでできており本体７に２個取り付けてある。鉛筆など筆記用具を差し込む場合は、輪８か輪９のどちらか一方を使う。箸の場合は、輪８，９にそれぞれ１つずつ差し込んで使う。箸を固定させる時は、図６のように輪を箸の先から３分の２のあたりに持ってくるのが適当と思われるが、使用する人の癖や年齢に応じて調整することもできる。２つの輪の間１２は伸縮性の無い材料により相互間の距離を一定にしてあるので、手の力が加わっても変形を防ぐことができる。
本体を取り付けた箸を持つ時は、まず始めに本体７の球の部分だけを握り、箸が安定することを確かめる。次に手のひらを開き親指５を両方の輪のあたりに添える。そして手のひら全体で本体７をそっと包み込むようにする。その時図８のように自然に人差し指と中指で一方の箸をはさむ形になる。
【産業上の利用可能性】
【００１０】
最近の子どもたちは、早い時期から鉛筆などの細くて不安定な道具を使って文字を書く傾向が見られる。そのため、小学校に入学してきた時には、すでに誤った持ち方が癖になってしまった子どもが多い。そこで私たちは、初めて書く物を手にする幼い子どもたちを対象に筆記用具の持ち方をやさしく助けることのできるもの、しかも嫌がらずおもちゃのように親しんでくれるものを作ることにした。この視点から、堅い物よりも柔らかい物を、さらには、幼い子どもたちが少しの無理もせず自然に安定した形で筆記用具が持てるようなものを目指した。そして、実際に子どもたちに使わせてみて、この補助具が十分に役立っていることを確信している。
鉛筆や箸は誰もが長く使い続けるものである。すでに大人になるまで矯正できなかった人にとっても、鉛筆や箸を楽にうまく使えることはよいことである。また、様々な理由で不自由さを感じている人の手助けもできるかもしれない。従って、本考案の矯正補助具は幼い子どもから大人まで広く必要とされる可能性を持ち合わせている。
【図面の簡単な説明】
【００１１】
【図１】筆記用具専用の持ち方矯正補助具の正面図
【図２】筆記用具専用の持ち方矯正補助具の正面図
【図３】筆記用具及び箸の持ち方矯正補助具の正面図
【図４】本体を吸湿性材料で覆った持ち方矯正補助具の正面図
【図５】筆記用具専用の持ち方矯正補助具に鉛筆を通して持った図
【図６】筆記用具及び箸の持ち方矯正補助具に箸を通した図
【図７】筆記用具及び箸の持ち方矯正補助具を手のひらにのせて親指で押さえている図
【図８】筆記用具及び箸の持ち方矯正補助具を人差し指と中指で上の箸を挟んでいる図
【符号の説明】
【００１２】
１    表面に小さな突起を有する補助具の本体
２    鉛筆を通す保持部
３    ２つの輪の下部
４    ２つの輪の上部
５    親指
６    人差し指
７    複数の保持部を取り付けた補助具の本
８    箸を通す右の保持部                            
９    箸を通す左の保持部                            
１０  本体の表面を覆った吸湿性材料
１１  本体表面の突起の先端の球状部
１２  箸を通す右の輪と左の輪の間
【図１】
0003209006.tif 000003
【図２】
0003209006.tif 000004
【図３】
0003209006.tif 000005
【図４】
0003209006.tif 000006
【図５】
0003209006.tif 000007
【図６】
0003209006.tif 000008
【図７】
0003209006.tif 000009
【図８】
0003209006.tif 000010